(57)【要約】【課題】帯電微粒子水を生成する静電霧化発生装置の組み立て生産を安価に行なうこと。【解決手段】筐体１内に弾性的に吊支した外槽３と、衣類を収容する内槽４と、パルセータ６と、駆動手段８と、筺体１上部に装着された上部枠体４８と、上部枠体４８の後部内方に設けられた支持部材５０と、支持部材５０に設けられた送風手段６５と、帯電微粒子水を生成する静電霧化発生装置５５と静電霧化駆動手段５６を有する静電霧化発生ユニット５３と、制御手段３３とを備え、静電霧化発生ユニット５３は、静電霧化発生装置５５を固定した取り付け板Ａ５７と静電霧化駆動手段５６を固定した取り付け板Ｂ５８を下方から螺着した静電霧化取り付け板６３とで構成するとともに、静電霧化取り付け板６３を下方から支持部材５０に螺着したことにより、生産性高く、安価で製造でき、かつサービス性も向上させることができる。【選択図】図１
2011193961.tif 000002
【特許請求の範囲】
【請求項１】
筐体内に弾性的に吊支した外槽と、回転中心軸を略鉛直方向に有し前記外槽内に回転自在に支持し衣類を収容し通気孔を有する内槽と、この内槽の内底部に設け衣類を撹拌するパルセータと、前記内槽またはパルセータを回転駆動する駆動手段と、前記筺体上部に装着された上部枠体と、前記上部枠体の後部内方に設けられ注水部材を装着した支持部材と、前記内槽内に空気を供給する送風手段と、静電霧化により帯電微粒子水を生成する静電霧化発生装置および静電霧化駆動手段を有する静電霧化発生ユニットとを備え、前記静電霧化発生ユニットは、前記静電霧化発生装置を固定した取り付け板Ａと、前記静電霧化駆動手段を固定した取り付け板Ｂと、前記取り付け板Ａおよび前記取り付け板Ｂを下方から螺着した静電霧化ユニット取り付け板とで構成するとともに、前記静電霧化ユニット取り付け板を下方から前記支持部材に螺着することを特徴とする洗濯乾燥機。
【発明の詳細な説明】
【技術分野】
【０００１】
本発明は、底部に衣類攪拌用パルセータを有する洗濯脱水槽を水槽内に回転自在に配し、洗濯脱水槽並びに水槽内方に帯電微粒子水を供給して、衣類などの除菌、脱臭およびカビ発生抑制を行う洗濯乾燥機に関するものである。
【背景技術】
【０００２】
従来、この種の洗濯乾燥機は衣類に付着した雑菌や循環空気中の雑菌を殺菌するために、水槽と水槽内に回転可能に配設したドラムに、静電霧化により帯電微粒子水を生成して洗濯槽内に放出する構成が提案されている（例えば、特許文献１参照）。
【０００３】
図５は、特許文献１に記載された洗濯乾燥機の概略断面図である。
【０００４】
図５に示すように洗濯機本体７１の外郭を構成する洗濯機本体７２内に洗濯槽７３が内装され、洗濯槽７３は内部に回転ドラム７４を配置した水槽７５により構成している。回転ドラム７４は多数の小孔を構成し、モータ７６により回動する。水槽７５には給水路７７、排水路７８が接続してある。洗濯槽７３には開口７９が設けてあり、該開口７９に開閉自在に扉８０を設ける。
【０００５】
洗濯機本体７２内で、且つ洗濯槽７３の外部に（つまり水槽７５の外部に）静電霧化装置８１が設けられ、前記静電霧化装置８１は、ケース８２内に入れられ、該ケース８２にはファン８３が設けてある。ケース８２には、給気路８４を構成する給気ホースの一端が連通接続してあり、該給気ホースの他端が洗濯機本体７２に開口して外部と連通する。また、ケース８２には放出経路８５を構成する放出ホースの一端が連通接続してあり、該放出ホースの他端が洗濯槽７３の開口７９の端部に配管され、回転ドラム７４の内部に臨んでいる。
【０００６】
静電霧化装置８１の放電電極（図示せず）に高電圧を印加して生成されたナノメータサイズの帯電微粒子水は、ファン８３の運転により給気路８４を通って供給された外部空気により、放出経路８５を経て、洗濯槽７３内に放出されて、回転ドラム７４内部の衣類の脱臭、除菌を行うものである。
【０００７】
なお、この特許文献１は図示していないが、洗濯槽７３には温風または冷風を噴出する噴出し口を設けて、温風または冷風を洗濯槽７３内に噴出して、回転ドラム７４内の衣類を乾燥することができるようになっている。
【先行技術文献】
【特許文献】
【０００８】
【特許文献１】特開２００８−２３７４４２号公報
【発明の概要】
【発明が解決しようとする課題】
【０００９】
しかしながら、前記従来の構成では、帯電微粒子水を生成する静電霧化装置８１は、洗濯構造部から離れ独立して設けてあり、当然ながら、ファン８３、給気路８４を構成する吸気ホース、放出経路８５を構成する放出ホースなど全ての部品が専用部品として必要であり、製造組み立て上も、新たな工程で、新たな作業が必要であり、生産性が低下し、製造コストが高くなるという課題があった。
【００１０】
さらには、静電霧化装置８１の放電電極には高電圧が印加されるため、経年により電極に摩耗が生じ交換が必要となってくるが、販売後の交換・保守サービス上においても、従来に無い作業が必要となるため、新たな交換・保守サービス作業も必要となってくるという課題があった。
【００１１】
本発明は、上記従来の課題を解決するもので、ユニット化した静電霧化発生装置を簡単に取り付けることが可能になり、生産性が高く、製造コストが安価で、またサービス性にも優れた洗濯乾燥機を提供することを目的としている。
【課題を解決するための手段】
【００１２】
本発明は上記目的を達成するために、本発明の洗濯乾燥機は、筐体内に弾性的に吊支した外槽と、回転中心軸を略鉛直方向に有し前記外槽内に回転自在に支持し衣類を収容し通気孔を有する内槽と、この内槽の内底部に設け衣類を撹拌するパルセータと、前記内槽またはパルセータを回転駆動する駆動手段と、前記筺体上部に装着された上部枠体と、前記上部枠体の後部内方に設けられ注水部材を装着した支持部材と、前記内槽内に空気を供給する送風手段と、静電霧化により帯電微粒子水を生成する静電霧化発生装置および静電霧化駆動手段を有する静電霧化発生ユニットとを備え、前記静電霧化発生ユニットは、前記静電霧化発生装置を固定した取り付け板Ａと、前記静電霧化駆動手段を固定した取り付け板Ｂと、前記取り付け板Ａおよび前記取り付け板Ｂを下方から螺着した静電霧化ユニット取り付け板とで構成するとともに、前記静電霧化ユニット取り付け板を下方から前記支持部材に螺着したものである。
【００１３】
これにより、静電霧化発生ユニットを簡単に取り付けることが可能になり、生産性が高く、製造コストが安価であると同時に、サービス時も容易に部品の修理交換を行なうことができる。
【発明の効果】
【００１４】
本発明の洗濯乾燥機は、帯電微粒子水を発生する静電霧化発生装置を構成する構造の生産性が高く、製造コストが安価であると同時に、サービス時の部品の修理交換も容易に行なうことができる。
【図面の簡単な説明】
【００１５】
【図１】本発明の実施の形態１における洗濯乾燥機の縦断面図
【図２】同洗濯乾燥機のブロック回路図
【図３】同洗濯乾燥機の要部分解斜視図
【図４】同洗濯乾燥機の静電霧化発生ユニット部の要部断面図
【図５】従来の洗濯乾燥機の概略断面図
【発明を実施するための形態】
【００１６】
第１の発明は、筐体内に弾性的に吊支した外槽と、回転中心軸を略鉛直方向に有し前記外槽内に回転自在に支持し衣類を収容し通気孔を有する内槽と、この内槽の内底部に設け衣類を撹拌するパルセータと、前記内槽またはパルセータを回転駆動する駆動手段と、前記筺体上部に装着された上部枠体と、前記上部枠体の後部内方に設けられ注水部材を装着した支持部材と、前記内槽内に空気を供給する送風手段と、静電霧化により帯電微粒子水を生成する静電霧化発生装置および静電霧化駆動手段を有する静電霧化発生ユニットとを備え、前記静電霧化発生ユニットは、前記静電霧化発生装置を固定した取り付け板Ａと、前記静電霧化駆動手段を固定した取り付け板Ｂと、前記取り付け板Ａおよび前記取り付け板Ｂを下方から螺着した静電霧化ユニット取り付け板とで構成するとともに、前記静電霧化ユニット取り付け板を下方から前記支持部材に螺着することにより、静電霧化発生ユニットを簡単に取り付けることが可能になり、生産性が高く、製造コストが安価である。また、静電霧化発生ユニットに設けた静電霧化発生装置は放電電極が消耗部材であるため、経年により交換が必要となってくるが、そのサービス時も容易に部品の修理交換を行なうことができる。
【００１７】
以下、本発明の実施の形態について、図面を参照しながら説明する。なお、従来例と同じ構成のものは同一符号を付して説明を省略する。また、この実施の形態によって本発明が限定されるものではない。
【００１８】
（実施の形態１）
図１は、本発明の実施の形態１における洗濯乾燥機の縦断面図、図２は、同パルセータ式洗濯乾燥機のブロック回路図であり、図３は同パルセータ式洗濯乾燥機の要部分解斜視図である。
【００１９】
図１において、筐体１は、内部に複数のサスペンション２によって弾性的に吊り下げた外槽３を設け、脱水時の振動をサスペンション２によって吸収する構成としている。外槽３の内部には、衣類および乾燥対象物を収容する内槽４を中空で２重構造とした洗濯・脱水軸５を中心に回転可能に配設し、内槽４の内底部に衣類や乾燥対象物を撹拌するパルセータ６を回転自在に配設している。
【００２０】
また、内槽４の内部周壁には通気孔４ａを多数設けるとともに、上方には流体バランサ７を設けている。モータ（駆動手段）８は、外槽３の外底部に取り付け、洗濯または脱水時に回転力の伝達を洗濯・脱水軸５に切り換えるクラッチ９と洗濯・脱水軸５を介して、内槽４またはパルセータ６に連結している。パルセータ６は外周部に傾斜面１０を有する略鍋型の形状をし、撹拌用突出部１１を形成し、洗濯行程時に衣類が攪拌されるとともに、乾燥行程において、乾燥対象物をパルセータ６の回転による遠心力で傾斜面に沿って上方へと舞い上がりやすくしている。つまり、衣類は攪拌により、左右（回転方向）に入れ替わるとともに、上下にも入れ替わるという動きをするように構成されている。
【００２１】
熱交換ダクト１２は、循環する湿った空気（循環風）を除湿するもので、一端を伸縮自在の接続ダクト１３を介して外槽３の下部に設けた排水経路口１４に接続し、他端を、空気循環経路１７の入り口側で、乾燥用ファン１５の下部に位置する循環風受け室４５の一端に接続している。
【００２２】
乾燥用ファン１５の上部には、ヒータ１６が設けられ、空気循環経路１７の出口側は、空気噴出口２０を有する上部蛇腹状ホース１８に接続されており、循環風受け室４５から内槽４へ繋がり循環する空気循環経路１７を構成し、この空気循環経路１７、乾燥用ファン１５、空気噴出口２０にて、送風手段６５を構成している。
【００２３】
空気循環経路１７の入り口側には、温度検知手段３５が、出口側には温度検知手段３６が設けられ、乾燥行程時の循環風温度を検知している。
【００２４】
循環風受け室４５内には、フィルター４６が設けられており、循環風は、このフィルター４６を通って循環しており、フィルター４６で、衣類から発生した糸くずなどを捕集している。
【００２５】
前記乾燥用ファン１５、空気循環経路１７、空気噴出口２０にて構成された送風手段６５等は、上部枠体４８の後部内方に設けられたプラスチック成型部材等で構成された支持部材５０に装着されている。
【００２６】
外槽３には、外槽３の上面を気密的に覆う外槽カバー１９を設けており、この外槽カバー１９に伸縮自在の上部蛇腹状ホース１８からの温風噴出口２０を開口している。また、外槽カバー１９に中蓋２１を開閉自在に設け、衣類を出し入れするようにしている。
【００２７】
筺体１の上部は、略中央部に衣類投入口４７を有する上部枠体４８が装着されており、衣類投入口４７を覆うように外蓋４９が開閉自在に設けられている。
【００２８】
外槽３の底部には、外槽３内の水を排水する排水弁２２を設け、排水ダクト２３を介して熱交換ダクト１２と接続ダクト１３とに接続し、接続ダクト１３と熱交換ダクト１２からの排水を排水ダクト２３、排水弁２２に導き、排水ホース２４から機外へ排水するようにしている。
【００２９】
冷却用送風機２５は、筐体１の側面に取り付け、筐体１の内部に外槽３、熱交換ダクト１２などを冷却するように送風できるよう構成している。
【００３０】
制御装置３０は、一体集中的に形成するとともに、筐体１の背面部（裏カバー）４２に略垂直に配設し、制御装置３０の下側に冷却用送風機２５を設けている。また、制御装置３０は、カバー４３にて覆われ保護されている。
【００３１】
図２のブロック回路図において、制御装置３０は、負荷駆動手段３１を介して、モータ（駆動手段）８、クラッチ９、送風手段を構成する乾燥用ファン１５、ヒータ１６、排水弁２２、冷却用送風機（冷却手段）２５、給水弁３２などの動作を制御し、洗い、すすぎ、脱水、乾燥の各行程を制御する制御手段３３を有している。
【００３２】
制御手段３３は、マイクロコンピュータなどで構成し、商用電源４０から、電源スイッチ４１のＯＮにより電力が供給されて動作を始め、水位検知手段３４、温度検知手段３５、３６の出力を入力し、入力設定手段３７にて使用者の入力により設定された内容に基づいて、表示手段３８に設定内容を表示するとともに、双方向サイリスタ、リレーなどで構成した負荷駆動手段３１を介して、モータ８、クラッチ９、乾燥用ファン１５、ヒータ１６、排水弁２２、冷却用送風機２５、給水弁３２、吸水ポンプ５１などの動作を制御し、洗い、すすぎ、脱水、乾燥の各行程を制御する。また、制御回路である静電霧化駆動手段５６を介して静電霧化発生装置５５を制御する。また、入力設定手段３７と表示手段３８とで、操作表示部３９を構成している。
【００３３】
制御手段３３は、乾燥行程にて、温度検知手段３６により検知した温度が第１の所定温度（たとえば、１１０℃）に達したとき、ヒータ１６をオフし、そのときの温度検知手段３５による温度から第２の所定温度（たとえば、２ｋ）が下がったとき、ヒータ１５を動作させて循環風の温度を調節するよう構成している。
【００３４】
図３の要部分解斜視図において、上部枠体４８の後部内方に設けられた支持部材５０には、水槽内に水道水を給水する給水弁３２、風呂水などを吸水して水槽内に供給する吸水ポンプ５１や、乾燥用ファンなどから成る空気循環経路１７、また、給水弁３２から水槽へ給水するときに水道水を通過させて洗剤を投入する注水部材５２などを装着している。
【００３５】
さらに、支持部材５０には、送風手段６５の構成部材の空気循環経路１７の循環風受け室４５に隣接して、静電霧化発生装置５５（図４にて後述）を内設する静電霧化発生ユニット５３が、支持部材５０の下方からねじ６８ａ、６８ｂにて取り付け、固定されている。
【００３６】
前記の支持部材５０は、上部枠体４８の下方から取り付け、ねじ５３ａ、５３ｂを上部枠体４８の後面より螺合し、ねじ５３ｃ、５３ｄを上部枠体４８の上面より螺合して、上部枠体４８に固定するとともに、支持部材５０の後部をねじ５４ａ、５４ｂで筺体１の後面に固定している。
【００３７】
これにより、上部枠体４８は、支持部材５０をねじ５３ａ〜５３ｄにて取り付け、固定した状態で、ねじ５４ａ、５４ｂを外すことにより、上部枠体４８の前面が上方になるように略垂直方向に、筺体１から取り外すことができ、支持部材５０の下方からねじ６８ａ、６８ｂにて取り付け、固定している静電霧化発生ユニット５３も、簡単に取り外すことができ、修理や交換が容易にできる。
【００３８】
上記構成において、洗濯から乾燥行程の基本的な動作を説明する。
【００３９】
洗濯行程では、外蓋４９を開け、中蓋２１を開けて、内槽４に衣類と洗剤を投入し、運転を開始すると所定の水位まで給水した後、モータ８を駆動する。このとき、伝達機構部のクラッチ９によりモータ８の動力を、洗濯軸を介してパルセータ６に伝達し、パルセータ６が回転することで、衣類がパルセータ６の撹拌用突出部１１に引っかかり、中心部へ引き込まれる。内槽４の中心下層部の衣類は、引き込まれた衣類により、内槽４の上層部へ押し上げられる。このようにして内槽４内の衣類を撹拌して、衣類同士、または内槽４の内壁やパルセータ６との接触により作用する機械力と、水流力により行われる。
【００４０】
脱水行程では、洗濯終了後、排水弁２２を開いて内槽４内の水を排水ホース２４より排水した後、伝達機構部のクラッチ９を脱水側に切り換えて、モータ８の動力を、脱水軸を介し内槽４に伝達して回転させ、衣類に遠心力を与えることにより、水分を衣類から分離することで行う。
【００４１】
乾燥行程では、クラッチ９を洗濯側に切り換えてモータ８を駆動してパルセータ６に伝達し、パルセータ６を急速に正転、反転することで、脱水後に内槽４の内壁に張り付いた衣類を引き剥がす。つぎに、パルセータ６を正転、反転させて撹拌用突出部１１で衣類を引っかけて撹拌しながら、乾燥用ファン１５などからなる送風手段６５、ヒータ１６により温風を空気噴出口２０に送る。空気噴出口２０より内槽４に吹き込まれた温風は、衣類から水分を蒸発させた後、内槽４から外槽３の内側へ出た後、排水経路口１４より接続ダクト１３を通過して、熱交換ダクト１２へ至る。
【００４２】
衣類の水分を奪って湿気を含んだ温風が、外槽３の内壁や熱交換ダクト１２内を通過しているとき、筐体１の側面に設置した冷却送風機２５による外部空気の流入で、外槽３や熱交換ダクト１２の外壁は冷却されることになり、その内部では、水分の結露が起こり、湿った温風は除湿されて、循環風受け室４５へ入り、フィルター４６を通過してから乾燥用ファン１５へ戻る。この循環路で温風を循環させることにより、内槽４内の衣類を乾燥させることができる。
【００４３】
また、上記の乾燥用ファン１５駆動時に静電霧化発生装置５５（図４にて後述）を動作させると、帯電微粒子水が空気循環経路１７の出口側の空気噴出口２０より、内槽４内部の衣類に放出される。
【００４４】
図４は、本発明の実施の形態１における洗濯乾燥機の静電霧化発生ユニット部の要部断面図である。
【００４５】
図４において、静電霧化発生ユニット５３は、静電霧化発生装置５５及び制御回路である静電霧化駆動手段５６と、下方に開放口６９を形成する静電霧化ユニット取り付け板６３で構成され、前記静電霧化発生装置５５は取り付け板Ａ５７をねじ６６ａ、６６ｂにて螺着することで、また静電霧化駆動手段５６は取り付け板Ｂ５８をねじ６７にて螺着することで、それぞれ静電霧化ユニット取り付け板６３の内方に開放口６９側より固定装着される。
【００４６】
さらに、静電霧化発生ユニット５３は、支持部材５０の下方からねじ６８ａ、６８ｂにて、支持部材５０に一体的に構成したボス部７０ａ、７０ｂに取り付けられる。
【００４７】
上記の、ねじ６６ａ、６６ｂ及びねじ６７、ねじ６８ａ、６８ｂの作業方向は、下方から上方に同一方向に指向させている。
【００４８】
なお、図示していないが、静電霧化発生装置５５と制御回路である静電霧化駆動手段５６とはリード線や接続コネクターで電気的な接続がなされていることは当然である。
【００４９】
取り付け板Ａ５７には、静電霧化発生装置５５の下部に空気流入口５９が形成され、静電霧化ユニット取り付け板６３の側壁には、静電霧化発生装置５５よりも低い位置に帯電微粒子水放出口６０が形成され、帯電微粒子水放出口６０は、送風手段６５の構成部材の循環風受け室４５と連通している。
【００５０】
また、静電霧化ユニット取り付け板６３の帯電微粒子水放出口６０と静電霧化発生装置５５との間には、遮蔽壁６１が、取り付け板Ａ５７の底面と間隙をもって、かつ、下方に垂下したリブ形状の先端が、前記帯電微粒子水放出口６０の下端より下方になるよう形成され、帯電微粒子水放出口６０と静電霧化発生装置５５とを防水可能に遮蔽している。
【００５１】
上記の静電霧化発生ユニット５３の構成にて、帯電微粒子水を放出する行程における動作を説明する。なお、帯電微粒子水を放出する除菌・脱臭運転コース（ナノイーコース）は、乾燥行程と同様に制御される行程であるが、ヒータ１６のみ動作しない。
【００５２】
制御手段３３からの指示で、制御回路である静電霧化駆動手段５６が駆動すると、静電霧化発生装置５５が動作し、空気流入口５９から流入した空気が、静電霧化発生装置５５の放電電極（図示せず）に、結露水として供給され、そこへ高電圧が印加されて、マイナスに帯電したナノメータサイズの帯電微粒子水が大量に生成される。
【００５３】
帯電微粒子水を放出する除菌・脱臭コース（ここではナノイーコースと呼ぶ）は、ヒータ１６には通電されないが、乾燥行程と同様の行程であるため、内槽４内の衣類を通過した風が、熱交換ダクト１２内を通過し、循環風受け室４５へ入り、フィルター４６を通過してから乾燥用ファン１５へ行き、上部蛇腹状ホース１８を経由して空気噴出口２０より内槽４に戻されるという大きな循環風の流れがある。
【００５４】
このため、循環風受け室４５と帯電微粒子水放出口６０により連通している、静電霧化取り付け板６３と取り付け板Ａ５７で形成される静電霧化室６４は、循環風が流れる循環経路に対して容積が小さいため、負圧状態となる。これにより、循環風が流れている時に、生成された帯電微粒子水は、帯電微粒子水放出口６０から循環風受け室４５内に吸い込まれ、吸い込まれた帯電微粒子水は、循環風の流れに乗って内槽４内に放出され、攪拌されている衣類の繊維の内部に奥深く浸透して、除菌、脱臭が行われる。
【００５５】
以上のように、本実施の形態においては、静電霧化発生装置及び静電霧化駆動手段を静電霧化ユニット取り付け板に取り付けて静電霧化発生ユニットして構成し、更に同静電霧化発生ユニットを支持部材に対して下方より同一方向に指向させたねじにて取り付けた事により、簡単に取り付けることが可能になり、多数の部材を装着する支持部材をユニット化するうえで自動組み立て等の展開がしやすく生産性が高く、製造コストを安価にすることができる。
【００５６】
また、静電霧化発生装置は、放電電極に高電圧が印加されるため、経年により電極に摩耗が生じ交換を必要とする部材であるが、本実施の形態によれば、静電霧化発生ユニットとして構成しているので、制御回路である静電霧化駆動手段を含めてユニット交換として、所要時間が早い修理交換を行うことが可能であり、また一方、静電霧化発生装置の取り付け板Ａを固定するねじを取り外すことで静電霧化発生装置単体のみの修理により交換部材低減による低コスト交換も可能となる。
【００５７】
即ち、交換や修理サービス時における、時間優先か、費用優先かという課題への対応の多様性を有しているので、サービス時の技能や時間といった課題に対応が可能としつつ、同一方向からのねじの着脱というサービス時の特別な技能無しに、簡単な作業で修理交換ができるものである。
【産業上の利用可能性】
【００５８】
以上のように、本発明にかかるパルセータ式洗濯乾燥機は、放電電極を有する静電霧化発生装置を設けた静電霧化発生ユニットの生産を、生産性高く安価に行なうことができると同時に、交換修理サービスも容易に行なうことが可能となるので、洗濯機や乾燥機等の用途にも適用できる。
【符号の説明】
【００５９】
１    筺体
３    外槽
４    内槽
６    パルセータ
８    モータ（駆動手段）
３３  制御手段
４８  上部枠体
５０  支持部材
５３  静電霧化発生ユニット
５５  静電霧化発生装置
５６  静電霧化駆動手段
５７  取り付け板Ａ
５８  取り付け板Ｂ
６３  静電霧化ユニット取り付け板
６５  送風手段
６９  開放口
【図１】
2011193961.tif 000003
【図２】
2011193961.tif 000004
【図３】
2011193961.tif 000005
【図４】
2011193961.tif 000006
【図５】
2011193961.tif 000007